(57)【要約】既存のヘッドアップディスプレイ（ＨＵＤ）装置と組み合わせて使用するヘッドアップディスプレイ（ＨＵＤ）アダプター。そのＨＵＤアダプターは、電子周辺装置からの電子データおよび情報を車両の風防窓の既存のＨＵＤ装置の画面に表示するために前記電子周辺装置を受け入れる。ＨＵＤアダプターは、第１アダプタープラグを有する基端部、第２アダプタープラグを有する先端部、および両端部間にあるケーブルを含む。既存のＨＵＤ装置はヘッドアップディスプレイ画面を車両のフロント風防窓に含み、ヘッドアップディスプレイ制御装置は、電子周辺装置の各々を制御するために車両のハンドルの制御盤内に置かれる。ＨＵＤ装置は、ＨＵＤアダプターの１つ以上を受け入れるために、複数のＵＳＢ受入ポートを有するＵＳＢパネル部材を含む。【選択図】図１
2009530158.tif 000002
【特許請求の範囲】
【請求項１】
車両における既存のヘッドアップディスプレイ（ＨＵＤ）装置と組み合わせて用いられるヘッドアップディスプレイ（ＨＵＤ）アダプターであり、電子周辺装置からの電子データ及び情報を車両の風防窓上の前記ＨＵＤ装置の画面に表示すべく前記電子周辺装置を受け入れ可能なヘッドアップディスプレイ（ＨＵＤ）アダプターであって、
ａ）一つ以上のＨＵＤアダプターの各々が、第１のアダプタープラグを含む基端部、第２のアダプタープラグを含む先端部、および前記両端部間にあるケーブルを有しており、
ｂ）既存のＨＵＤ装置が、前記車両のフロント風防窓上におけるヘッドアップディスプレイ画面を含むと共に、前記電子周辺装置の各々を制御するために前記車両のハンドル又は操作卓の制御盤内に置かれたヘッドアップディスプレイ（ＨＵＤ）制御装置を更に含んでおり、
ｃ）前記ＨＵＤ装置は、前記ＨＵＤアダプターの一つ以上を接続するために、複数のＵＳＢ受入ポートを有するＵＳＢパネル部材を含んでおり、
ｄ）前記ＨＵＤアダプターの前記第１アダプタープラグは、前記電子周辺装置の受入ポート内に受け入れられるものであり、
ｅ）前記ＨＵＤアダプターの前記第２アダプタープラグは、前記ＨＵＤアダプターを前記ＨＵＤ制御装置に電気的に接続するために、前記ＵＳＢパネル部材の前記複数のＵＳＢ受入ポートのうちの一つに受け入れられるものであり、
ｆ）前記ＨＵＤ制御装置は、前記電子周辺装置を制御して、当該電子周辺装置からの電子データ又は情報を前記車両の風防窓の前記ＨＵＤ装置の画面に表示する、
ことを特徴とするヘッドアップディスプレイ（ＨＵＤ）アダプター。
【請求項２】
前記電子周辺装置は、携帯電話、ＰＵＤ、パーム・パイロット・オーガナイザー、全地球測位システム（ＧＰＳ）、ｉＰｏｄ、ラジオ、衛星ラジオ、テーププレイヤー、ＣＤプレイヤー、ＤＶＤプレイヤー、ラップトップ、プリンター、ファックス、デジタルカメラ、ポケットベル、クルーズコントロール、サイドミラーコントロール、シートコントロール、シートメモリーコントロール、ガレージ・ドア・オープナー、記録装置、エアコン、クライメート・ホバー・コントロール、内部セキュリティー、アラーム、追跡システム、車両ゲージコントロール、ドアコントロール、ウィンドウコントロール、霜取りコントロール、双方向ゲーム、および固定式又は携帯用のその他の通信装置を含むものである、請求項１に記載の既存のヘッドアップディスプレイ（ＨＵＤ）装置と組み合わせて用いられるヘッドアップディスプレイ（ＨＵＤ）アダプター。
【請求項３】
前記ＵＳＢパネル部材が、ヘッドセットのヘッドセット・マイクロホン・ジャック・ケーブルを受け入れるヘッドセット・マイクロホン・ジャック受入ポートを備えている、請求項１に記載の既存のヘッドアップディスプレイ（ＨＵＤ）装置と組み合わせて用いられるヘッドアップディスプレイ（ＨＵＤ）アダプター。
【請求項４】
前記ＨＵＤ制御装置が、前記車両の風防窓の前記ＨＵＤ装置の画面のサイズ及び焦点を調整する調整制御パッドを受け入れるコンパートメントを備えている、請求項１に記載の既存のヘッドアップディスプレイ（ＨＵＤ）装置と組み合わせて用いられるヘッドアップディスプレイ（ＨＵＤ）アダプター。
【請求項５】
前記ＨＵＤ制御装置が、前記車両のダッシュボードからのスピードメーターゲージを前記車両の風防窓の前記ＨＵＤ装置の画面に表示するために、スピードメーター・ゲージ・スイッチを受け入れるコンパートメントを備えている、請求項１に記載の既存のヘッドアップディスプレイ（ＨＵＤ）装置と組み合わせて用いられるヘッドアップディスプレイ（ＨＵＤ）アダプター。
【請求項６】
前記ＨＵＤ制御装置が、前記電子通信装置の１つの音響レベルを上下するために、音量調節パッドを受け入れるコンパートメントを備えている、請求項１に記載の既存のヘッドアップディスプレイ（ＨＵＤ）装置と組み合わせて用いられるヘッドアップディスプレイ（ＨＵＤ）アダプター。
【請求項７】
前記ＨＵＤ制御装置が、前記ＨＵＤ装置で使用される種々の機能を制御するために、カーソル移動制御部材を受け入れるコンパートメントを備えている、請求項１に記載の既存のヘッドアップディスプレイ（ＨＵＤ）装置と組み合わせて用いられるヘッドアップディスプレイ（ＨＵＤ）アダプター。
【請求項８】
前記カーソル移動制御部材が、前記電子通信装置の１つとともに使用するための、電源ボタン、メニューボタン、カーソル移動制御パッド、アクセプトボタン、周辺装置オン／オフボタン、記録ボタン、ファンクションキー、およびキーパッドを含んでいる、請求項７に記載の既存のヘッドアップディスプレイ（ＨＵＤ）装置と組み合わせて用いられるヘッドアップディスプレイ（ＨＵＤ）アダプター。
【請求項９】
前記第１及び第２のアダプタープラグの各々が、ＵＳＢ型のアダプターである、請求項１に記載の既存のヘッドアップディスプレイ（ＨＵＤ）装置と組み合わせて用いられるヘッドアップディスプレイ（ＨＵＤ）アダプター。
【発明の詳細な説明】
【技術分野】
【０００１】
本発明は、既存または追加の車両コンピュータのハードウェアおよびソフトウェアを既存の車両ヘッドアップディスプレイ（ＨＵＤ）装置と組み合わせて使用されるように適合させることに関する。このようなシステムは、走行車両内で、携帯電話、携帯情報端末（ＰＤＡ）装置および他の周辺装置とともに使用され得る。より詳細には、運転者が運転中両手で車両のハンドルを握りながら、携帯電話の呼出し、電子メールまたは他の情報のリストに素早く安全にアクセスできるように、本発明によって既存のＨＵＤ装置は、携帯電話、ＰＤＡ、または他の周辺装置の画面を車両の風防窓に投影するように適合される。本発明は、車両の既存のＨＵＤ装置とともに使用するための携帯用ＨＵＤアダプターおよびソフトウェアを提供する。
【背景技術】
【０００２】
運転時の情報検索は非常に有用であり且つ必要である。車両の運転者は、旅行の目的地、気象情報、道路状況および他のデータに関して情報を十分に与えられることを欲する。従って運転者は、彼らの携帯電話、ＰＤＡのポケットベル、可搬型ＧＰＳ衛星受信機、ラジオおよびラップトップコンピュータ（彼らが関連データにアクセスし中継できるもの）を頼りにする必要がある。
【０００３】
携帯電話、ＰＤＡおよびコンピュータの画面を車両の風防窓に投影して、データ、電子メールまたはコンピュータ情報を受信及び中継するために、既存のヘッドアップディスプレイ（ＨＵＤ）装置を、携帯電話、ＰＤＡ、ＧＰＳ衛星受信機、コンピュータおよび他の電子製品を含んでなる種々の周辺装置とともに使用する必要性がある。このようなやり方で、運転者は、運転中両手で車両のハンドルを握りながら、携帯電話の呼出し、電子メール、地図による道案内、目的地データなどを含む、任意の周辺装置からの情報またはデータに素早く安全にアクセスすることができる。より具体的に言えば、既存のＨＵＤ装置は、さまざまな電子周辺装置、例えば携帯電話、ＧＰＳ衛星受信機またはラップトップコンピュータなどとともに使用する、１つ以上のヘッドアップディスプレイ（ＨＵＤ）アダプターを備える必要がある。
【０００４】
［先行技術について］
種々の設計および構成を有する走行車両などのための表示システムが先行技術に開示されている。例えば、オブラドビィッチ（ＯＢＲＡＤＯＶＩＣＨ）による特許文献１は、配置されるカメラおよびＧＰＳデータ交換装置を開示している。この装置は、ＧＰＳ受信機および画面を備えた、電磁通信性能を持ったパーソナル通信装置である。この先行技術特許は、本発明の携帯用ＨＵＤアダプターとともに使用する既存のヘッドアップディスプレイ（ＨＵＤ）装置の設計、形状構成および構造を開示するものではない。
【０００５】
オブラドビィッチ（ＯＢＲＡＤＯＶＩＣＨ）による特許文献２は、音声データ位置情報を通信するパーソナル通信システムを開示している。このシステムは、データをＰＣＤ装置および表示画面へ自動的に伝送するデータベースに問い合わせを行うために、探索および分類方式を用いて位置関連データのＧＰＳ衛星情報の検索を行う。この先行技術特許は、本発明の携帯用ＨＵＤアダプターとともに使用する既存のヘッドアップディスプレイ（ＨＵＤ）装置の設計、形状構成および構造を開示するものではない。
【０００６】
いずれの先行技術特許も、携帯電話メッセージまたは他の情報を車両の風防窓の画面に表示するために、携帯電話、ＰＤＡ、コンピュータまたは他の電子周辺装置を受け入れるための携帯用ＨＵＤアダプターとともに使用するヘッドアップディスプレイ装置を開示していない。
【特許文献１】米国特許第６５２５７６８号
【特許文献２】米国特許第６５２９８２４号
【発明の開示】
【発明が解決しようとする課題】
【０００７】
従って本発明の目的は、既存の車両ヘッドアップディスプレイ（ＨＵＤ）装置と連動して使用する携帯用ヘッドアップディスプレイアダプターを提供することにある。本発明のアダプターは、携帯電話メッセージまたは他の情報を車両の風防窓の画面に表示し中継するために、携帯電話、ＰＤＡ、コンピュータまたは他の周辺装置に差込接続され、これにより、運転者は、車両の既存のＨＵＤ装置とともに携帯用ＨＵＤアダプターおよびソフトウェアを使用して運転中に、両手で車両のハンドルを握ったままで情報に素早く安全にアクセスし中継することができる。
【０００８】
本発明の別の目的は、例えば、ｉＰｏｄ（アイポッド）（登録商標）、ラップトップ／可搬型コンピュータ、携帯電話、パームパイロット、ＰＤＡ、ＧＰＳ衛星受信機、ＣＤプレイヤー、携帯テレビ、ＶＣＲプレイヤー、ＤＶＤプレイヤー、カーラジオ、エアコン、プリンター、記録装置、衛星ラジオ、ポケットベルまたは他の通信／電子装置などのような種々の周辺装置と連動して使用するＨＵＤアダプターを提供することにある。
【０００９】
本発明の別の目的は、電子周辺装置の各々から所要のデータを受信して、既存のＨＵＤ装置へ送信し、ユーザーの車両のハンドルのＨＵＤ制御装置を用いて、所要の情報を車両の風防窓の既存のＨＵＤ画面に表示することができるＨＵＤアダプターを提供することにある。
【００１０】
本発明の別の目的は、動作使用時に携帯用周辺装置を車両に統合することができるＨＵＤアダプターを提供することにある。
【００１１】
本発明の別の目的は、車両内の多くの既存のボタンの置換、並びに、制御装置の制御パッドおよびＨＵＤシステムへの結合を可能にするＨＵＤアダプターを提供することにある。
【００１２】
本発明の別の目的は、かさばる電子機器の排除を許容すると共に、コンピュータ処理基板において安価な電子機器への置き換えを可能にするＨＵＤアダプターを提供することにある。
【００１３】
本発明の別の目的は、事故の発生が少なく、保険料が安いＨＵＤアダプターを提供することにある。
【００１４】
本発明の別の目的は、自動化された経済的な方法で大量生産されることが可能であり、ユーザーによって容易に入手できる、既存のＨＵＤ装置と連動して使用するＨＵＤアダプターを提供することにある。
【課題を解決するための手段】
【００１５】
本発明によれば、既存のヘッドアップディスプレイ（ＨＵＤ）装置２０と組み合わせて使用するヘッドアップディスプレイ（ＨＵＤ）アダプター１０が提供される。本発明のＨＵＤアダプターは、周辺装置からの電子データおよび情報を車両の風防窓１４の既存のＨＵＤ装置２０の画面２４に表示するために、携帯電話４０のような電子周辺装置を受け入れる。ＨＵＤアダプター１０は、基端部５２、先端部５４およびそれらの間にあるケーブル５６を含む。基端部は第１アダプタープラグ５８を有し、先端部は第２アダプタープラグ６２を有する。ヘッドアップディスプレイ制御装置２６は、携帯電話４０のような電子周辺装置の各々を制御するために、車両１２のハンドル１５の制御盤２８内に位置決めされている。ＨＵＤ装置２０は更に、ＨＵＤアダプター１０の１つ以上を受け入れるために、複数のＵＳＢ受入ポート３２ａ、３２ｂ、３２ｃおよび３２ｄを有するＵＳＢパネル部材３０を含んでいる。ＨＵＤアダプターの第１アダプタープラグ５８は、携帯電話４０のような電子周辺装置の受入ポート６０内に受け入れられる。ＨＵＤアダプターの第２アダプタープラグ６２は、ＨＵＤアダプター１０をＨＵＤ制御装置２６に電気的に接続するために、ＵＳＢパネル部材３０の複数のＵＳＢ受入ポート３２ａ〜３２ｄの１つに受け入れられる。
【００１６】
本発明の更なる目的、特徴および利点については、添付図面と併せて好ましい実施形態についての以下の説明を参酌することで明らかになる。
【発明を実施するための最良の形態】
【００１７】
本発明の好ましい実施形態の携帯用ヘッドアップディスプレイ（ＨＵＤ）アダプター装置１０は、図１〜図５に詳細に表わされている。図１に示すように、ＨＵＤアダプター装置１０は、走行車両１２内の既存のヘッドアップディスプレイ装置２０および内部車両コンピュータ１１と連動して使用される。
【００１８】
「車両」は、自動車、ジープ、ＳＵＶ、ＲＶ、ピックアップトラック、トラック、バス、モーターボート、ヨット、飛行機、軍用輸送機、スノーモービル、モーターサイクルなどを含む、交通手段の任意の形式として定義される。
【００１９】
「プロセッサ」は、車両１２用のすべての周辺装置の実行に専用化された、車両用の既存または新型のコンピュータ・プロセッサ１１として定義される。
【００２０】
「ポート」は、ＵＳＢ、電話、無線および類似の接続部の形で、ハードによる内部配線またはソフトによる外部配線によって得られる電子的接続部として定義される。
【００２１】
「周辺装置」は、見えるか、または隠され、オペレータによって必要に応じて使用される電子機器、製品、または装置として定義される。周辺装置はプロセッサに接続される受入ポート（ハードおよびソフト）に取り付けられる。周辺装置はプロセッサを経由して制御パッドによって制御される。制御パッドを用いてオペレータによって行われる動作は、周辺装置と通信し、かつオペレータの動作をＨＵＤに反映するプロセッサに伝送される。電子機器のリストは次の通りである。即ち、携帯電話、ＰＵＤ、パーム・パイロット・オーガナイザー、全地球測位システム（ＧＰＳ）、ｉＰｏｄ（登録商標）、ラジオ、衛星ラジオ、テーププレイヤー、ＣＤプレイヤー、ＤＶＤプレイヤー、ラップトップ、プリンター、ファックス、デジタルカメラ、ポケットベル、クルーズコントロール、サイドミラーコントロール、シートコントロール、シートメモリーコントロール、ガレージ・ドア・オープナー、記録装置、エアコン、クライメート・ホバー・コントロール、内部セキュリティー、アラーム、追跡システム、車両ゲージコントロール、ドアコントロール、ウィンドウコントロール、霜取りコントロール、双方向ゲーム、および固定式または携帯用の他の通信装置である。
【００２２】
「制御パッド（コントロール付き）」は、周辺装置のすべてを制御する、ハンドル、ダッシュボードまたはアームレストに置かれるコントロールとして定義される。この制御パッドは、キー、ボタン、スイッチ、ジョイステックまたはタッチパッドの組み合わせであり得る。制御パッドは、固定式、引込み式、移動可能、または無線であり得る。任意の追加キー制御パッドは、ダッシュボード、フロントパネル、アームレスト、または中央操作卓のどれかのフロント乗員サイドにおいて或る制限を伴って利用できる。
【００２３】
「ＨＵＤ」は、周辺装置がプロセッサを経由して伝送するすべての情報を投影するヘッドアップディスプレイとして定義される。このディスプレイはフロント乗員サイドの任意の表示装置を伴って運転者側にある（或る種の制限あり）。
【００２４】
ヘッドアップディスプレイ装置２０は、車両１２のダッシュボード１３に置かれるヘッドアップディスプレイプロジェクター２２と、車両１２のフロント風防窓１４のヘッドアップディスプレイ画面２４と、車両１２のハンドル１５のコンパートメント２８内に置かれるヘッドアップディスプレイ制御パネル部材２６とを含む。ヘッドアップディスプレイ装置２０はまた、ヘッドアップディスプレイアダプター装置１０Ａ、１０Ｂ、１０Ｃ及び／又は１０Ｄの１つ以上を受け入れる複数のＵＳＢ受入ポート３２ａ〜３２ｄを有するＵＳＢパネル部材３０と、ヘッドセット３８のヘッドセット・ジャック・ケーブル３６を受け入れるヘッドセットジャック受入ポート３４も含む。ＵＳＢパネル部材３０は、車両１２の中央操作部分１６内に車両のラジオ１７およびアームレスト１８に隣接して置かれる。アームレスト１８は、種々の周辺装置および電子製品、例えば、携帯電話４０、可搬型コンピュータ４２、ｉＰｏｄ（インタフェース・プロトコル・オプション・デバイス）４４、携帯用テレビセット４６、パームパイロット４８、ＰＤＡ５０などを保持し格納する、１対のクレードルホルダー部材１９ａおよび１９ｂを含む。ＨＵＤ制御パネル部材２６はまた、車両１２のダッシュボード１３またはアームレスト１８に置かれ得ることを理解すべきである。更に、フロント風防窓１４の上部１４ｕのサンバイザー１４ｖは、携帯電話４０を用いる場合にユーザーの声を捉えるために、マイクロホン６４を含むことができる。
【００２５】
ヘッドアップディスプレイアダプター装置１０Ａ、１０Ｂ、１０Ｃおよび１０Ｄの各々は、基端部５２、先端部５４、およびそれらの間にあるケーブル又はコード５６を含む。ＨＵＤアダプター装置１０の基端部５２は第１アダプタープラグ５８を含む。第１アダプタープラグ５８は、携帯電話４０のような電子製品用の電気製品受入ポート６０内に受け入れられる。ＨＵＤアダプター装置１０の先端部５４は第２アダプタープラグ６２を含む。第２アダプタープラグ６２は、図１、図４及び図５に示すようにＵＳＢパネル部材３０の複数のＵＳＢ受入ポート３２ａ〜３２ｄの１つに受け入れられる。
【００２６】
ヘッドアップディスプレイ制御パネル部材２６は、図２及び図３に示すように、車両の風防窓１４のヘッドアップディスプレイ画面２４のサイズおよび焦点を調整するために、調整制御パッド７２を受け入れる第１コンパートメント７０と、車両のダッシュボード１３からのスピードメーターゲージ７８を車両の風防窓１４のＨＵＤ画面２４に表示するために、スピードメーター・ゲージ・スイッチ７６を受け入れる第２コンパートメント７４と、車両のラジオシステム１０２（ＣＤ、テープデッキ、ビデオ、携帯電話など）の音響レベルを上下するために、音量調節パッド１００を受け入れる第３コンパートメント９８を含む。ヘッドアップディスプレイ制御パネル部材２６は、カーソル移動制御部材１０６を受け入れる第４コンパートメント１０４をさらに含む。
【００２７】
図１、図２及び図３に示すように、カーソル移動制御部材１０６は、ＨＵＤ装置２０で用いられる種々の機能を制御するために使用される。カーソル移動制御部材１０６は、図３に示すように、ファンクション・キー・ボタン８６、周辺装置オン／オフボタン８８、カーソル移動制御パッド１０８、アクセプトボタン１１０、ＨＵＤカーソル移動制御部材オン／オフボタン１１２、メニューボタン１１４、キーパッド１１８、および記録ボタン１２０を含む。ボタン１２０用の記録チップは、車両のコンピュータシステム１１とともに使用する追加の機能であってもよい。カーソル移動制御部材１０６は、ＨＵＤ制御パネル部材２６の第４コンパートメント１０４に着脱自在に接続され得る。調整制御パッド７２は、図３に示すように、ハンドル１５に取り付けられる。カーソル移動制御部材１０６は、図１及び図３に示すように、ハンドル１５に着脱自在に接続される。着脱自在である場合、それは無線で動作する。それはハード・キー・パッドの代わりにタッチパッドであってもよい。
【００２８】
［本発明の作用］
運転中、図１〜図５に示すように、ＨＵＤアダプター装置１０は次のように動作する。車両運転者がハンドル１５のオン／オフスイッチ１１２によって、又は任意的には乗客によって、ＨＵＤアダプター装置１０をオンにすると、コンピュータは装着されているすべての周辺装置（ハード及びソフト）を認識する。その時すべての認識された周辺装置を示すメニューがＨＵＤ画面２４に投影され、オペレータ、運転者または乗客は、カーソル移動制御部材１０６を用いて１つ以上のキーの組み合わせで、彼らの要求を命令することができる。
【００２９】
図１及び図４を参照すると、ＨＵＤアダプター装置１０Ａの基端部５２の第１アダプタープラグ５８は、携帯電話４０の携帯電話受入ポート６０内に受け入れられる。第１アダプタープラグ５８は、同時に接続され得るところの可搬型コンピュータ、パームパイロット、ｉＰｏｄ、携帯情報端末（ＰＤＡ）などのような、様々な電子周辺装置の多数の様々な受入ポート６０に受け入れられる。次の段階で、ＨＵＤアダプター装置１０Ａの先端部５４の第２アダプタープラグ６２は、ＵＳＢパネル部材３０のＵＳＢ受入ポート３２ａに受け入れられる。次にユーザーは、携帯電話４０の機能を選ぶために、制御スイッチ１０８および１１０を用いてＵＳＢ受入ポート３２ａを選択する。次にこの選択はヘッドアップディスプレイプロジェクター２２を起動して、図２に示すように、携帯電話４０の画像４０ｓを車両１２のフロント風防窓１４のＨＵＤ画面２４に表示する。任意的子には、ユーザーは、風防窓１４のＨＵＤ画面２４の携帯電話画像４０ｓのサイズおよび焦点を調整するために、調整制御パッド７２を調整する。また、ユーザーは、キーパッド１１８によって電話呼出しを行う、あるいはファンクションキー及びボタンを用いるなどのような、種々の携帯電話４０機能のためにカーソル移動制御部材１０６を用いてその他の調整を行うことができる。カーソル移動制御部材１０６はすべての認識された周辺装置を制御できるけれども、周辺装置を手動でも動作させることができる。
【００３０】
あるいは、ＰＤＡ装置５０のＰＤＡ受入ポート６０は、図１及び図４に示すように、ＨＵＤアダプター１０Ｂの第１アダプタープラグ５８を受け入れることができる。このような場合、ＨＵＤアダプター１０Ｂの第２アダプタープラグ６２は、ＵＳＢパネル部材３０のＵＳＢ受入ポート３２ｂ内に受け入れられる。次にユーザーは、ＰＤＡ装置５０の機能を選ぶために、ＨＵＤ制御パネル部材２６の制御スイッチ１０８および１１０を用いて、ＵＳＢ受入ポート３２ｂを選択する。すると、この選択はＨＵＤプロジェクター２２を起動して、ＰＤＡ装置５０の画像５０ｓを車両１２のフロント風防窓１４のＨＵＤ画面２４に表示する。
【００３１】
前述の段階は、他の電子周辺装置、例えば、ラップトップコンピュータ４２、ｉＰｏｄ４４、テレビセット４６、パームパイロット４８、ＧＰＳ衛星受信機８４、無線システム１０２、またはエアコンシステム９４などに電気的に接続するためにも使用され得ることが理解される。自動車１２は多くのＵＳＢ受入ポート３２を備えることが可能であり、これにより、ラジオ、ＣＤおよびテープデッキは配線で接続され、第１ＵＳＢポートに割り当てられることが可能であり、エアコンは配線で接続され、第２ＵＳＢポートに割り当てられることが可能であり、ＧＰＳ衛星受信機は配線で接続され、第３ＵＳＢポートに割り当てられることが可能であり、クルーズコントロールは配線で接続され、第４ＵＳＢポートに割り当てられることが可能であり、サイドミラー、バックミラーおよびウィンドウコントロールは配線で接続され、第５ＵＳＢポートに割り当てられることが可能であり、その他の電子周辺装置も同様であることも理解される。
【００３２】
自動車コンピュ−タおよびＨＵＤ制御パネル部材２６は、制御キー部材８６、８８、１０８、１１０、１１２、１１４、１１８、１２０を備え、ＨＵＤアダプター装置１０は、使用される電子周辺装置の種々の画面２４を車両の風防窓１４に投影するように適合され、これにより、運転者は、例えば携帯電話を使用する場合に、運転時または停止時に、両手で車両１２のハンドル１５を握ったままで、素早く安全に携帯電話に出て、電話を切り、携帯電話番号のリストにアスセスし、その特定の電話番号に自動的に電話し、アポイントメント、以前の電話メッセージおよび電話番号、電子メール、お気に入りの曲などにアスセスすることができる。
【００３３】
車両１２は「ブルートゥース」(Bluetooth)技術に対処することが可能であることを理解すべきである。ブルートゥース技術はケーブル置換技術である。つまり、ブルートゥースチップは、ケーブルによって通常は伝えられる情報を取得し、それを特別な周波数で受信ブルートゥースチップに伝送することによってケーブルを置換するように設計されている。前記受信ブルートゥースチップは、受信した情報をコンピュ−タ１１、携帯電話４０、プリンターおよび他の電子装置に与えるものである。
【００３４】
車両１２は必要とするだけの数の受入ポートを備えることが可能であり、このようなポートは、例えば、カーゲージ、カーラジオ、ＣＤプレイヤー、テープデッキ、エアコン、ＧＰＳ、クルーズコントロール、テレビ、ＤＶＤ、サイドミラー及びウィンドウコントロール、ガレージ・ドア・オープナー、固定式自動車電話、並びに電子クレードル等の車両のコンピュ−タに内部的に配線されるものを含む、任意の固定式周辺装置とともに使用するために配線で接続されることを理解すべきである。
【００３５】
車両１２はまた、すべての携帯用周辺装置、例えば、携帯電話、パームパイロット、ｉＰｏｄ、テレビ、ＶＣＲ、ＤＶＤ、ラップトップコンピュータ、プリンター、ファックス、記録装置、またはケーブルで接続され得る他の周辺装置とともに使用するために、ソフトにより外部配線される、必要とするだけの数の受入ポートを備えることができる。
【００３６】
［本発明の利点］
従って、本発明の利点は、それが、既存の車両ヘッドアップディスプレイ（ＨＵＤ）装置と連動して使用する、携帯用ヘッドアップディスプレイアダプターを提供することである。そのアダプターは、携帯電話メッセージまたは他の情報を車両の風防窓の画面に表示するために、携帯電話、ＰＤＡ、コンピュータ、または他の周辺装置に差込接続され、これにより、運転者は、車両の既存のＨＵＤ装置とともに携帯用ＨＵＤアダプターおよびソフトウェアを使用して運転中に、両手で車両のハンドルを握ったままで情報に素早く安全にアクセスできる。
【００３７】
本発明の別の利点は、種々の周辺装置、例えば、ｉＰｏｄ、ラップトップ／可搬型コンピュータ、パームパイロット、ＰＤＡ、ＧＰＳ衛星受信機、ＣＤプレイヤー、衛星ラジオ、ポケットベル、または他の通信／電子装置などと連動して使用するＨＵＤアダプターを提供することである。
【００３８】
本発明の別の利点は、電子周辺装置の各々から所要のデータを受信して、既存のＨＵＤ装置へ送信し、ユーザーの車両のハンドルのＨＵＤ制御装置を用いて、所要の情報を車両の風防窓の既存のＨＵＤ画面に表示することができるＨＵＤアダプターを提供することである。
【００３９】
本発明の別の利点は、動作使用時に携帯用の周辺装置を車両に統合することができるＨＵＤアダプターを提供することである。
【００４０】
本発明の別の利点は、車両内の多くの既存のボタンの置き換え、ならびに制御装置の制御パッド及びＨＵＤシステムへの結合を可能にするＨＵＤアダプターを提供することである。
【００４１】
本発明の別の利点は、かさばる電子機器の排除を許容し、かつコンピュータ処理基板における安価な電子機器への置換を許容するＨＵＤアダプターを提供することである。
【００４２】
本発明の別の利点は、事故の発生が少なく、保険料が安い、ＨＵＤアダプターを提供することである。
【００４３】
本発明の別の利点は、自動化された経済的な方法で大量生産されることが可能であり、ユーザーによって容易に入手できる、既存のＨＵＤ装置と連動して使用するＨＵＤアダプターを提供することである。
【００４４】
修飾、変更および代用の範囲は前述の開示に意図されており、いくつかの例では、本発明のいくつかの特徴はその他の特徴を用いずとも使用される。従って、添付された特許請求の範囲は広く、且つ本発明の精神及び範囲と一致するように解釈されることが適切である。
【図面の簡単な説明】
【００４５】
【図１】ヘッドアップディスプレイ装置およびＨＵＤアダプター装置とともに使用する、車両のダッシュボード、アームレストおよび風防窓の内部を示す、本発明の好ましい実施形態のヘッドアップディスプレイアダプター装置の正面図である。
【図２】無線制御装置、クルーズコントロール、エアバッグおよびヘッドアップディスプレイ制御部材を備える車両のハンドルを示す、本発明のヘッドアップディスプレイアダプター装置の正面図である。
【図３】カーソル移動制御部材を受け入れるカーソル移動制御コンパートメントを備えるヘッドアップディスプレイ制御部材を示す、本発明のヘッドアップディスプレイアダプター装置の組立正面図である。
【図４】ラジオ、ＵＳＢポート、ヘッド・セッド・ジャック・ポート、電源制御ボタンおよび複数のＨＵＤアダプター装置を備えるフロント操作部分、並びに１対のクレードル部材が取り付けられたアームレストを示す、本発明のヘッドアップディスプレイアダプター装置の組立正面図である。
【図５】携帯電話画面を車両の風防窓にヘッドアップ表示するための電気的接続を示す、本発明のヘッドアップディスプレイアダプター装置の概略図である。
【図１】
2009530158.tif 000003
【図２】
2009530158.tif 000004
【図３】
2009530158.tif 000005
【図４】
2009530158.tif 000006
【図５】
2009530158.tif 000007
【国際調査報告】
2009530158.tif 000008